(57)【特許請求の範囲】
【請求項１】
カラオケ楽曲を再生演奏する楽曲再生手段と、前記カラオケ楽曲に対応する歌詞および背景映像を表示する画像再生手段を具備したカラオケ楽曲再生装置を主体とし、利用者別終電情報提供手段を備えたカラオケシステムであって、
少なくともモニター表示機能、入力操作機能および当該カラオケシステムにログインする利用者を特定するための、利用者ＩＤ取得機能を備えた補助端末装置を前記カラオケ楽曲再生装置に併設し、前記補助端末装置の利用者ＩＤ取得機能により取得した利用者ＩＤを、前記カラオケ楽曲再生装置に記憶されている店舗ＩＤとともに、前記利用者別終電情報提供手段へ転送するようになし、
前記利用者別終電情報提供手段は、情報通信ネットワークを介して前記カラオケ楽曲再生装置と接続された楽曲配信センターに併設されてなり、前記楽曲配信センターに登録されている、前記転送された利用者ＩＤに基づく個人データと、前記転送された店舗ＩＤに基づく店舗情報から、当該店舗の最寄駅における当該利用者にとっての終電情報を検索して、当該利用者がカラオケシステムからログアウトしたか否かを判定し、ログアウトしていなかった場合、その検索結果を前記補助端末装置に返送し、所定のディスプレイ画面に適宜のタイミングにて表示するようにしたことを特徴とするカラオケシステム。
【発明の詳細な説明】
【技術分野】
【０００１】
本発明は、カラオケ楽曲の再生演奏とこのカラオケ楽曲に対応する歌詞および背景映像を表示するカラオケ楽曲再生装置を主体とするシステムに関し、さらに詳しくは、カラオケ利用者に対し、個別に終電情報を提供できるシステムに関するものである。
【背景技術】
【０００２】
インターネット、ブロードバンドなどの情報通信ネットワーク技術の発展は、これを利用する通信カラオケシステムの機能を飛躍的に発展させ、例えば、カラオケ事業者の店舗会員となるためのオンライン登録、歌唱力のオンライン採点やオンライン検定、歌唱力の統計処理、電子目次の表示や更新などを即時的に処理することが可能となっている。
【０００３】
このように、カラオケシステムは、機能の大きな発展に伴い、娯楽の中枢となっており、特に夜間における利用率が高いことは周知である。そして、利用者は飲酒を伴うこともあり、楽しみに興じて時間観念が薄らぎ、最終電車の時刻を失念するようなことがある。このような問題から、利用者が帰りの時刻や駅名を登録しておくことにより、最終電車の発車時刻が近づいたとき、モニター画面に終電メッセージ（アラーム警告）を表示して利用者に注意を喚起するシステムが提案されている（例えば、特許文献１、特許文献２）。
【特許文献１】特開平１１−１５４８５号公報
【特許文献２】特開平１０−３０１５８７号公報
【発明の開示】
【発明が解決しようとする課題】
【０００４】
上記の特許文献１、特許文献２に開示された終電通報を受けるための登録操作は、専らコマンダー（リモコン）のボタンの押釦操作によってなされる。即ち、特許文献１に開示された例によると、まず、地図表示ボタンを押釦し、当該店舗所在地付近の交通機関の駅までの地図をモニターに表示する。つぎに、時刻表表示ボタンを押釦してその駅の発車時刻をモニターに表示して発車時刻を選択し、発車時刻までの残り時間を設定するタイマー設定ボタンを押釦する。
【０００５】
このように、終電通報の設定は利用者自身によるコマンダー操作によりなされるのであるが、操作がきわめて煩雑であることと、何よりも同伴者のある娯楽において帰宅時間を予め設定するということは無粋な操作となるため、有効に利用されていないのが現実である。また、終電通報の設定を行った場合において、予定より早く退店すると特定個人の設定が残ったままとなり、後から入店した利用者に不要な終電通報をしてしまうという不具合があった。
【課題を解決するための手段】
【０００６】
そこで本発明は、以下に述べる各手段により上記課題を解決するようにした。即ち、請求項１記載の発明では、端末側に  カラオケ楽曲を再生演奏する楽曲再生手段と、前記カラオケ楽曲に対応する歌詞および背景映像を表示する画像再生手段を具備したカラオケ楽曲再生装置を主体とし、利用者別終電情報提供手段を備えたカラオケシステムであって、
少なくともモニター表示機能、入力操作機能および当該カラオケシステムにログインする利用者を特定するための、利用者ＩＤ取得機能を備えた補助端末装置を前記カラオケ楽曲再生装置に併設し、前記補助端末装置の利用者ＩＤ取得機能により取得した利用者ＩＤを、前記カラオケ楽曲再生装置に記憶されている店舗ＩＤとともに、前記利用者別終電情報提供手段へ転送するようになし、前記利用者別終電情報提供手段は、情報通信ネットワークを介して前記カラオケ楽曲再生装置と接続された楽曲配信センターに併設されてなり、前記楽曲配信センターに登録されている、前記転送された利用者ＩＤに基づく個人データと、前記転送された店舗ＩＤに基づく店舗情報から、当該店舗の最寄駅における当該利用者にとっての終電情報を検索して、当該利用者がカラオケシステムからログアウトしたか否かを判定し、ログアウトしていなかった場合、その検索結果を前記補助端末装置に返送し、所定のディスプレイ画面に適宜のタイミングにて表示するようにした。
【発明の効果】
【００１０】
したがって、請求項１記載の発明によれば、カラオケシステムを設置した店舗において、その利用者が意図しなくても終電通報の設定がなされ、利用者毎に終電メッセージを受信することができる。また、これを受信する前に退店した場合は、終電通報の設定がキャンセルされ、システムの運営に伴う不具合を解消することができる。
【発明を実施するための最良の形態】
【００１１】
以下、本発明の実施の形態を図にもとづいて詳細に説明する。図１は、本発明を実施したカラオケシステムであり、本実施例では、特に、情報通信ネットワークを利用した通信カラオケシステムにて構成されている。即ち、本発明の構成要素となる補助端末装置１は、データ処理ユニット２に接続される。このデータ処理ユニット２は、図２に示すようにインターネットなどの情報通信ネットワークＮに接続されており、通常、カラオケシステムの運営事業者の楽曲配信センター３０と接続可能となるようにしているが、これについての詳細は後述する。
【００１２】
前記データ処理ユニット２には、ＤＶＤプレーヤ３、モニター４、アンプユニット５が接続されており、このデータ処理ユニット２からの制御出力によりモニター４に歌詞映像と背景画像を表示し、歌詞映像の表示と同期させてカラオケ楽曲の再生信号をアンプユニット５へ送出し、スピーカシステム６・７から演奏音が得られるようにしている。そして、前記アンプユニット５にはマイクロフォン８・９が接続されており、周知のようにシステムの使用者は、歌詞映像に合わせてこのマイクロフォン８・９から自身の発声を入力し、歌唱することになる。
【００１３】
図３は、このように構成されたカラオケシステムの具体的構成を示すブロック図であり、システムバスＢ１に接続されたＣＰＵ（中央演算処理装置）１０がシステム全体の制御を司る。ＲＯＭ１１には制御プログラムなどが格納され、ＲＡＭ１２には制御処理の内容などの一時記憶が可能となるようにしている。コマンダ受信部１３は、コマンダ１４から送られてくる赤外線コード信号を受信し、コマンドデータに復元してシステムバスＢ１へ転送する。
【００１４】
操作部１５は、データ処理ユニット２のフロントパネルに設けられた各種スイッチ機能であり、予約選曲、キーコントロール、歌唱プログラムなどカラオケ装置特有の機能をマニュアル設定が可能となるようにしている。表示制御部１６は、現在の設定状態をデータ処理ユニットの表示部２ａにより表示するための表示制御を行う。
【００１５】
ＤＶＤプレーヤ３は、光ディスクをドライブし、記録されている背景映像を表示制御部１７へ出力するものでＣＰＵ１０により制御される。通信制御部１８は、情報通信ネットワークＮを介して楽曲配信センター３０と情報の授受を行うための制御を司る。ＨＤＤ（Ｈａｒｄ  Ｄｉｓｋ  Ｄｒｉｖｅ  Ｕｎｉｔ）２０は、楽曲配信センター３０から受信した楽曲データやカラオケ演奏以外の機能を実行させるデータであるＩＣＭデータを一時記憶する。
【００１６】
文字パターン展開部２０は、指定された楽曲再生の歌詞データを入力し、表示制御部１７へ出力することにより背景映像とともに楽曲の進行に伴い、歌詞をスクロールさせながら表示することが可能となるようにし、モニター４へこれを表示する。音源２１は、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）信号などで受信した楽曲データから楽音信号を形成する。一方、音声データ処理部２２は、楽曲データに含まれる音声データにもとづいてバックコーラスなどの音声信号を再生する。
【００１７】
前記音源２１が形成した楽音信号および音声データ処理部２２が再生した音声信号は、ＤＳＰ２３へ入力し、これらの楽音信号および音声信号に対してリバーブ、エコーなどの効果を付与する。なお、ＤＳＰ２３が付与する効果の種類や程度は、楽曲データに含まれているＤＳＰ制御データにもとづいて決定される。効果が付与された楽音信号、音声信号は、Ｄ／Ａ変換器２４でカラオケ楽曲信号となり、カラオケ演奏が可能となるようにアナログ信号に変換され、アンプユニット５へ出力される。アンプユニット５は、マイクロフォン８・９からの歌唱音声信号を同時に入力し、この歌唱音声信号とカラオケ楽曲信号をミキシングして増幅し、スピーカシステム６・７を駆動する。
【００１８】
つぎに本発明で採用する補助端末装置１の構成について説明する。この補助端末装置１は、図４に示すように、利用者ＩＤ取得機能を有したカードデータ読取部１ｃを備えた装置本体１ａに液晶ディスプレイ１ｄを主体に構成した表示ユニット１ｂが一体となるようにして構成されている。前記カードデータ読取部１ｃは、非接触ＩＣカードの記録内容の読み取りが可能となるように構成されており、液晶ディスプレイ１ｄはタッチパネル方式の入力操作により作業メニューを選択できるようにしてある。なお、本発明の利用者ＩＤ取得機能を有した手段としては、これに限らず、例えば、ＩＣモジュールを携帯電話機に内蔵させたＩＣ機能付き携帯電話機や、近距離無線通信手段であるブルートゥース（ｂｌｕｅ  ｔｏｏｔｈ）機能を有する携帯電話機、あるいは、パスワードの入力装置や指紋や音声などの生体識別機能に依る機能を利用しても構わない。
【００１９】
補助端末装置１の各構成要素は、図３に示すようにシステムバスＢ２に接続され、ＣＰＵ１ｅにより液晶ディスプレイ１ｄの表示制御、カードデータ読取部１ｃのデータ読取制御などの処理を行う。また、システムバスＢ１・Ｂ２はケーブルにより接続され、データ処理ユニット２における処理内容、例えば、再生演奏中のカラオケ楽曲の歌詞データを液晶ディスプレイ１ｄに表示可能となるようにしてあり、補助端末装置１からの入力指示により、例えば、データ処理ユニット２に格納されている楽曲目次の表示あるいは楽曲の検索が可能となるようにしてある。また、補助端末装置１に入力された内容をデータ処理ユニット２へ転送し、情報通信ネットワークＮを介して楽曲配信センター３０へ送信し、あるいは楽曲配信センター３０からのデータをデータ処理ユニット２を介して受信することが可能となるようにしてある。
【００２０】
図２は、上記した情報通信を可能とするため構築されたネットワークの状態を示すもので、複数の店舗Ｓに設置されたデータ処理ユニット２は、楽曲配信センター３０に接続される。この楽曲配信センター３０は、膨大な楽曲を蓄積した楽曲データベースを備えているが、本発明を達成するため、これとは別に終電情報を検索するために必要とするデータベースを具備した利用者別終電情報提供手段を備え、同図では、このデータベース部分の構成のみを開示した状態を示す。
【００２１】
楽曲配信センター３０の会員データベースＤＢ１は、カラオケシステムを運営する事業者に登録された会員情報であり、会員ＩＤ番号、氏名、年齢、住所、電話番号などの基礎データから会員の居住地の最寄駅の検索が可能となる。店舗データベースＤＢ２は、当該カラオケシステムが設置されている複数の店舗の所在地、電話番号などのデータが蓄積されており、このデータから当該店舗の最寄駅を検索することができる。路線データベースＤＢ３は、例えば、公共の鉄道路線データを蓄積しており、特定の店舗と特定の会員を指定したとき、鉄道による最適な帰宅経路を検索することができる。また、時刻表データベースＤＢ４は、前記により決定された帰宅経路において、出発駅における終電情報を検索することができる。
【００２２】
このように構築された各データベースＤＢ１・ＤＢ２・ＤＢ３・ＤＢ４からは、店舗Ｓからの要求に応じて必要とするデータが出力される。即ち、ある店舗において登録会員が会員カードＣを補助端末装置１のカードデータ読取部１ｃにセットすると、登録会員の入店を示す情報が当該店舗情報とともに、情報通信ネットワークＮを介して楽曲配信センター３０の入力制御部３０ａに入力する。入力制御部３０ａは、入力された会員ＩＤ番号で会員データベースＤＢ１および店舗ＩＤ番号で店舗データベースＤＢ２をアクセスし、該当する登録会員の居住地および店舗の所在地から路線検索部３０ｂにおいて路線検索を行う。
【００２３】
前記検索により帰宅路線が決定されると、その検索結果で路線データベースＤＢ３がアクセスされ、最適経路が抽出される。そして、その結果が終電検索部３０ｃに入力するとともに時刻表データベースＤＢ４をアクセスし、前記経路の出発駅における終電時刻を抽出し、当該会員に適する終電情報を出力制御部３０ｄへ送出する。出力制御部３０ｄは、前記終電情報を入力すると、終電時刻より任意に定めた早い時刻に情報通信ネットワークＮを介して店舗Ｓに設置された補助端末装置１の液晶ディスプレイ１ｄに終電時刻が近づいている旨の文字情報を表示するか、あるいはキャリア基地局ＴＥを介して会員の携帯電話機へ終電時刻が近づいている旨の音声メッセージまたは電子メールを送信する。
【００２４】
つぎに、登録会員が店舗Ｓへ入店してから退店するまでのシステムの処理の流れを図５にもとづいて説明する。本発明のカラオケシステムを設置した店舗Ｓへ登録会員が入店すると、まず登録会員は補助端末装置１のカードデータ読取部１ｃへ自身の会員カードＣをセットする。補助端末装置１は、会員カードＣのセットがない待機状態から会員カードＣがセットされたことを検出すると（ＳＴ１）、直ちにカードに記録された会員情報を読み込み、通常の会員サービスに対応するための処理を実行する一方、会員ＩＤ番号を取得する（ＳＴ２）。これにより、当該会員ＩＤに基づき、当該システムにログインした利用者を特定できる。
【００２５】
取得した会員ＩＤ番号は、補助端末装置１のシステムバスＢ２からデータ処理ユニット２のシステムバスＢ１へ転送され、ＲＯＭ１１に記憶されている店舗ＩＤ番号とともに情報通信ネットワークＮを介して楽曲配信センター３０へ送信される（ＳＴ３）。会員ＩＤ番号および店舗ＩＤ番号を受信（ＳＴ４）した楽曲配信センター３０は検索処理を開始し、終電情報の検索結果を出力制御部３０ｄへ送出する（ＳＴ５）。
【００２６】
終電情報の検索結果を入力した出力制御部３０ｄは、この終電情報を出力するタイミング、即ち、終電時刻より早い任意に定めた時刻に達するまでの計時処理を開始する（ＳＴ６）。そして、メッセージの通報時刻に達すると（ＳＴ７）、登録会員が店舗Ｓを退店していないことを確認する（ＳＴ８）。これは、退店時の処理として登録会員が会員カードＣを再び補助端末装置１のカードデータ読取部１ｃへセットした時刻がメッセージの通報時刻より以前になされているか否かを確認することによりなされる。なお、退店したか否かは、通常、利用者のログアウト処理が行われたか否かを確認することで行われる。例えば、利用者ＩＤが取得された場合、利用者毎のアイコンが補助端末装置の利用者インタフェイス画面に自動形成され、この利用者別アイコンの指定とログアウト指示釦の押圧により利用者の退店が確認される。
【００２７】
即ち、退店に伴う前記処理がなされていない場合は、登録会員が在店していると判断し、終電時刻が近づいている旨のメッセージを送信する（ＳＴ９）。一方、退店に伴う前記処理がなされ、登録会員が退店していると判断された場合は、メッセージの送信がキャンセルされ、終電通報処理を終了する（ＳＴ１０）。
【００２８】
このように、本発明によれば、登録会員が入店して補助端末装置１のカードデータ読取部１ｃへ会員カードＣをセットするのみで終電通報処理が開始され、意識的な釦操作などを省略することができる。また、メッセージの通報時刻以前に登録会員が退店した場合は、終電通報処理を中止して不要となったメッセージの送信を中止するようにしたので、システムの運用に伴う不具合を解消し、カラオケシステムにおける合理的な終電通報処理が可能となる。なお、上記実施例では、個々のカラオケ楽曲再生装置が通信情報ネットワークを介して楽曲配信センターへ接続された通信カラオケシステムにてのシステムを例示しているが、本発明はこれに限らず、個々のカラオケ楽曲再生装置内それぞれに利用者別情報提供手段を組み込み、スタンドアロン的な仕様で、同様な処理を行うように構成しても構わない。
【図面の簡単な説明】
【００２９】
【図１】本発明のカラオケシステムの端末構成を示す説明図である。
【図２】本発明のカラオケシステムのシステム構成を示す説明図である。
【図３】本発明のカラオケシステムの端末構成のブロック図である。
【図４】本発明のカラオケシステムに用いる補助端末装置の斜視図である。
【図５】本発明のカラオケシステムによる終電通報処理の流れを示す図である。
【符号の説明】
【００３０】
１・・・・・・補助端末装置
１ａ・・・・・装置本体
１ｂ・・・・・表示ユニット
１ｃ・・・・・カードデータ読取部
１ｄ・・・・・液晶ディスプレイ
２・・・・・・データ処理ユニット
３・・・・・・ＤＶＤプレーヤ
４・・・・・・モニター
５・・・・・・アンプユニット
６・７・・・・スピーカシステム
８・９・・・・マイクロフォン
１４・・・・・コマンダー
３０・・・・・楽曲配信センター
３０ａ・・・・入力制御部
３０ｂ・・・・路線検索部
３０ｃ・・・・終電検索部
３０ｄ・・・・出力制御部
Ｃ・・・・・・会員カード
ＤＢ１・・・・会員データベース
ＤＢ２・・・・店舗データベース
ＤＢ３・・・・路線データベース
ＤＢ４・・・・時刻表データベース
Ｎ・・・・・・情報通信ネットワーク
Ｓ・・・・・・店舗
【図１】
0004471381.tif 000002
【図２】
0004471381.tif 000003
【図３】
0004471381.tif 000004
【図４】
0004471381.tif 000005
【図５】
0004471381.tif 000006